(57)【要約】【課題】  本発明の課題は、２０〜２５℃付近でその照度が最大となる傾向があるというような照明機器の周辺温度依存性を利用して照明機器の省エネルギー化を図ることにある。【解決手段】  照明機器用省エネルギー制御システム１は、照度が所定時間一定に制御される照明機器４０の消費電力を抑制するための照明機器用省エネルギー制御システム１であって、送風装置３１２、照明機器近傍温度情報取得手段１４、および送風装置制御手段１１１を備える。照明機器近傍温度情報取得手段３１２は、照明機器近傍温度情報を取得する。送風装置制御手段１１１は、照明機器近傍温度情報に基づいて送風装置を制御する。【選択図】      図１
2006252904.tif 000002
【特許請求の範囲】
【請求項１】
照度が所定時間一定に制御される照明機器（４０）の消費電力を抑制するための照明機器用省エネルギー制御システム（１）であって、
前記送風装置（３１２）と、
前記照明機器の近傍の温度の情報である照明機器近傍温度情報を取得する照明機器近傍温度情報取得手段（１４）と、
前記照明機器近傍温度情報に基づいて前記送風装置を制御する送風装置制御手段（１１１）と、
を備える、照明機器用省エネルギー制御システム（１）。
【請求項２】
前記送風装置は、前記照明機器に対して送風可能である、
請求項１に記載の照明機器用省エネルギー制御システム。
【請求項３】
前記送風装置は、天井裏に設けられる、
請求項１に記載の照明機器用省エネルギー制御システム。
【請求項４】
前記照明機器の近傍に設けられる第１温度センサをさらに備え、
前記照明機器近傍温度情報取得手段は、前記第１温度センサから前記照明機器近傍温度情報を取得する、
請求項１から３のいずれかに記載の照明機器用省エネルギー制御システム。
【請求項５】
外気温度の情報である外気温度情報を取得する外気温度情報取得手段と、
前記外気温度情報を利用して照明機器近傍温度情報の推定値である第１推定照明機器近傍温度情報を導出する第１推定照明機器近傍温度情報導出手段と、
をさらに備え、
前記照明機器近傍温度情報取得手段は、前記第１推定照明機器近傍温度情報を取得し、
前記送風装置制御手段は、前記第１推定照明機器近傍温度情報に基づいて前記送風装置を制御する、
請求項１から３のいずれかに記載の照明機器用省エネルギー制御システム。
【請求項６】
前記送風装置の吸込側の空気の温度である吸込側温度を検出する第２温度センサと、
前記吸込側温度を利用して照明機器近傍温度情報の推定値である第２推定照明機器近傍温度情報を導出する第２推定照明機器近傍温度情報導出手段と、
をさらに備え、
前記照明機器近傍温度情報取得手段は、前記第２推定照明機器近傍温度情報を取得し、
前記送風装置制御手段は、前記第２推定照明機器近傍温度情報に基づいて前記送風装置を制御する、
請求項１から３のいずれかに記載の照明機器用省エネルギー制御システム。
【請求項７】
熱交換器（３１３）をさらに備え、
前記送風装置は、前記熱交換器を介して送風を行う、
請求項１から６のいずれかに記載の照明機器用省エネルギー制御システム。
【請求項８】
前記送風装置の送風の向きを調節する風向調節手段（３２１）をさらに備える、
請求項７に記載の照明機器用省エネルギー制御システム。
【発明の詳細な説明】
【技術分野】
【０００１】
本発明は、照明機器の消費エネルギーを抑制するための照明機器用省エネルギー制御システムに関する。
【背景技術】
【０００２】
近年、コンビニエンスストアやスーパーマーケット等の店舗では、店舗内の照度を一定に保つために照明機器が照度制御装置によって照度制御を受けている場合が多い（例えば、特許文献１参照）。
【特許文献１】特開２００１−１４３８７６号公報
【発明の開示】
【発明が解決しようとする課題】
【０００３】
ところで、近年、照明機器は一般に２０〜２５℃付近でその照度が最大となる傾向があることが明らかにされている（例えば、http://www.mol-oml.co.jp/japanese/catalog/pdf/tec_tec01.pdf  ＭＩＴＳＵＢＩＳＨＩ／ＯＳＲＡＭ  ｐ．１２３参照）。本発明の課題は、このような照明機器の周辺温度依存性を利用して照明機器の省エネルギー化を図ることにある。
【課題を解決するための手段】
【０００４】
第１発明に係る照明機器用省エネルギー制御システムは、照度が所定時間一定に制御される照明機器の消費電力を抑制するための照明機器用省エネルギー制御システムであって、送風装置、照明機器近傍温度情報取得手段、および送風装置制御手段を備える。なお、ここにいう「送風装置」とは、例えば、換気扇やエアコン（空気調和装置）などである。照明機器近傍温度情報取得手段は、照明機器近傍温度情報を取得する。なお、ここにいう「照明機器近傍温度情報」とは、照明機器の近傍の温度の情報である。送風装置制御手段は、照明機器近傍温度情報に基づいて送風装置を制御する。なお、送風装置は照明機器に対して直接風を吹き付けてもよいし天井裏に設けられて天井裏の空気を換気するようにしてもよい。
【０００５】
この照明機器用省エネルギー制御システムでは、照明機器近傍温度情報取得手段が、照明機器近傍温度情報を取得する。そして、送風装置制御手段が、照明機器近傍温度情報に基づいて送風装置を制御する。このため、この照明機器用省エネルギー制御システムでは、照明機器の照度が最適になるように、照明機器近傍の温度を適正に維持することが可能となる。したがって、この照明機器用省エネルギー制御システムでは、照明機器の消費エネルギーを最小限にすることが可能となる。この結果、この照明機器用省エネルギー制御システムでは、照明機器の省エネルギー化を実現することが可能となる。
【０００６】
第２発明に係る照明機器用省エネルギー制御システムは、第１発明に係る照明機器用省エネルギー制御システムであって、送風装置は、照明機器に対して送風可能である。
この照明機器用省エネルギー制御システムでは、送風装置が、照明機器に対して送風可能である。このため、この照明機器用省エネルギー制御システムでは、送風装置近傍の空気を循環させることにより照明機器の近傍の温度を適正に維持することができる。したがって、この照明機器用省エネルギー制御システムでは、照明機器の省エネルギー化を実現することが可能となる。
【０００７】
第３発明に係る照明機器用省エネルギー制御システムは、第１発明に係る照明機器用省エネルギー制御システムであって、送風装置は、天井裏に設けられる。
この照明機器用省エネルギー制御システムでは、送風装置が、天井裏に設けられる。一般に、照明機器は、天井板の室内側に設けられる。このため、この照明機器用省エネルギー制御システムでは、例えば、夏場等において、天井裏の空気を換気することにより間接的に照明機器近傍の温度を照度に最適な温度まで下げることができる。したがって、この照明機器用省エネルギー制御システムでは、照明機器の省エネルギー化を実現することが可能となる。
【０００８】
第４発明に係る照明機器用省エネルギー制御システムは、第１発明から第３発明のいずれかに係る照明機器用省エネルギー制御システムであって、第１温度センサをさらに備える。第１温度センサは、照明機器の近傍に設けられる。そして、照明機器近傍温度情報取得手段は、第１温度センサから照明機器近傍温度情報を取得する。
この照明機器用省エネルギー制御システムでは、第１温度センサが、照明機器の近傍に設けられる。そして、照明機器近傍温度情報取得手段が、第１温度センサから照明機器近傍温度情報を取得する。このため、この照明機器用省エネルギー制御システムでは、正確に照明機器近傍の温度を検出することができる。
【０００９】
第５発明に係る照明機器用省エネルギー制御システムは、第１発明から第３発明のいずれかに係る照明機器用省エネルギー制御システムであって、外気温度情報取得手段および第１推定照明機器近傍温度情報導出手段をさらに備える。外気温度情報取得手段は、外気温度情報を取得する。なお、ここにいう「外気温度情報」とは、外気温度の情報である。第１推定照明機器近傍温度情報導出手段は、外気温度情報を利用して第１推定照明機器近傍温度情報を導出する。なお、ここにいう「第１推定照明機器近傍温度情報」とは、照明機器近傍温度情報の推定値である。そして、照明機器近傍温度情報取得手段は、第１推定照明機器近傍温度情報を取得する。さらに、送風装置制御手段は、第１推定照明機器近傍温度情報に基づいて送風装置を制御する。
【００１０】
この照明機器用省エネルギー制御システムでは、外気温度情報取得手段が、外気温度情報を取得する。第１推定照明機器近傍温度情報導出手段が、外気温度情報を利用して第１推定照明機器近傍温度情報を導出する。そして、照明機器近傍温度情報取得手段が、第１推定照明機器近傍温度情報を取得する。さらに、送風装置制御手段が、第１推定照明機器近傍温度情報に基づいて送風装置を制御する。このため、この照明機器用省エネルギー制御システムでは、温度センサを設けなくとも本システムを構築することができ、本システム構築にかかる経費を低く抑えることができる。
【００１１】
第６発明に係る照明機器用省エネルギー制御システムは、第１発明から第３発明のいずれかに係る照明機器用省エネルギー制御システムであって、第２温度センサおよび第２推定照明機器近傍温度情報導出手段をさらに備える。第２温度センサは、吸込側温度を検出する。なお、ここにいう「吸込側温度」とは、送風装置の吸込側の空気の温度である。第２推定照明機器近傍温度情報導出手段は、吸込側温度を利用して第２推定照明機器近傍温度情報を導出する。なお、ここにいう「第２推定照明機器近傍温度情報」とは、照明機器近傍温度情報の推定値である。そして、照明機器近傍温度情報取得手段は、第２推定照明機器近傍温度情報を取得する。さらに、送風装置制御手段は、第２推定照明機器近傍温度情報に基づいて送風装置を制御する。
【００１２】
この照明機器用省エネルギー制御システムでは、第２温度センサが、吸込側温度を検出する。第２推定照明機器近傍温度情報導出手段が、吸込側温度を利用して第２推定照明機器近傍温度情報を導出する。そして、照明機器近傍温度情報取得手段が、第２推定照明機器近傍温度情報を取得する。さらに、送風装置制御手段が、第２推定照明機器近傍温度情報に基づいて送風装置を制御する。例えば、送風機器がエアコンである場合、ほとんどのエアコンには吸込側温度センサが設けられている。このため、この照明機器用省エネルギー制御システムでは、新たに温度センサを用意することなしに本システムを構築することができる。したがって、この照明機器用省エネルギー制御システムでは、送風装置が吸込側温度センサ付きのエアコンである場合にはシステム構築にかかる経費を低く抑えることができる。
【００１３】
第７発明に係る照明機器用省エネルギー制御システムは、第１発明から第６発明のいずれかに係る照明機器用省エネルギー制御システムであって、熱交換器をさらに備える。そして、送風装置は、熱交換器を介して送風を行う。
この照明機器用省エネルギー制御システムでは、送風装置が、熱交換器を介して送風を行う。このため、この照明機器用省エネルギー制御システムでは、照明機器に適度な温度の空気を流すことにより短時間で最大照度を引き出すことができる。したがって、この照明機器用省エネルギー制御システムでは、照明機器の更なる省エネルギー化を実現することが可能となる。
【００１４】
第８発明に係る照明機器用省エネルギー制御システムは、第７発明に係る照明機器用省エネルギー制御システムであって、風向調節手段をさらに備える。風向調節手段は、送風装置の送風の向きを調節する。
この照明機器用省エネルギー制御システムでは、風向調節手段が、送風装置の送風の向きを調節する。このため、この照明機器用省エネルギー制御システムでは、室内の冷暖房と照明機器の照度の最適化との両方を一台の送風装置で行うことができる。
【発明の効果】
【００１５】
第１発明に係る照明機器用省エネルギー制御システムでは、照明機器の照度が最適になるように、照明機器近傍の温度を適正に維持することが可能となる。したがって、この照明機器用省エネルギー制御システムでは、照明機器の消費エネルギーを最小限にすることが可能となる。この結果、この照明機器用省エネルギー制御システムでは、照明機器の省エネルギー化を実現することが可能となる。
【００１６】
第２発明に係る照明機器用省エネルギー制御システムでは、送風装置近傍の空気を循環させることにより照明機器の近傍の温度を適正に維持することができる。したがって、この照明機器用省エネルギー制御システムでは、照明機器の省エネルギー化を実現することが可能となる。
第３発明に係る照明機器用省エネルギー制御システムでは、例えば、夏場等において、天井裏の空気を換気することにより間接的に照明機器近傍の温度を照度に最適な温度まで下げることができる。したがって、この照明機器用省エネルギー制御システムでは、照明機器の省エネルギー化を実現することが可能となる。
【００１７】
第４発明に係る照明機器用省エネルギー制御システムでは、正確に照明機器近傍の温度を検出することができる。
第５発明に係る照明機器用省エネルギー制御システムでは、温度センサを設けなくとも本システムを構築することができ、本システム構築にかかる経費を低く抑えることができる。
【００１８】
第６発明に係る照明機器用省エネルギー制御システムでは、新たに温度センサを用意することなしに本システムを構築することができる。したがって、この照明機器用省エネルギー制御システムでは、送風装置が吸込側温度センサ付きのエアコンである場合にはシステム構築にかかる経費を低く抑えることができる。
第７発明に係る照明機器用省エネルギー制御システムでは、照明機器に適度な温度の空気を流すことにより短時間で最大照度を引き出すことができる。したがって、この照明機器用省エネルギー制御システムでは、照明機器の更なる省エネルギー化を実現することが可能となる。
【００１９】
第８発明に係る照明機器用省エネルギー制御システムでは、室内の冷暖房と照明機器の照度の最適化との両方を一台の送風装置で行うことができる。
【発明を実施するための最良の形態】
【００２０】
〔照明機器用省エネルギー制御システム〕
ここでは、図１から図８までの図面を参照しながら本発明の実施の形態に係る照明機器用省エネルギー制御システムについて説明する。
この照明機器用省エネルギー制御システム１は、図１に示されるように、主に、空気調和装置の室内ユニット３０、照明装置４０、温度センサ２０、および店舗コントローラ１０から構成される。以下、これらの各構成部品について詳述する。
【００２１】
（１）空気調和装置の室内ユニット
本実施の形態に係る空気調和装置の室内ユニット３０は、図１、図２、および図３に示されるように、天井埋設カセット型の室内ユニットであって、居室Ｒ１の天井裏に埋設されている。この室内ユニット３０は、設置時に天井に埋設される本体３１、および設置時に居室Ｒ１側に露出する化粧パネル３２から構成される。
【００２２】
Ａ．本体
本体３１は、図３および図４に示されるように、本体ケーシング３１１、遠心送風機３１２、熱交換器３１３、ドレンパン３１４、ベルマウス３１５、および図示しない膨張弁や温度センサ（吸込温度センサ等）等を備える。
本体ケーシング３１１は、図３に示されるように、下面が開口した箱体であり、天板３１１ａと、天板３１１ａの周縁部から下方に延びる側板３１１ｂとを有している。この本体ケーシング３１１には、その内部に室内ユニット３０の構成部品が収容される。
【００２３】
遠心送風機３１２は、本実施の形態において、ターボファンであり、本体ケーシング３１１の天板３１１ａの中央に設けられたファンモータ３１２ａと、ファンモータ３１２ａに連結されて回転駆動される羽根車３１２ｂとを有している。遠心送風機３１２は、羽根車３１２ｂの内部に居室内の空気（以下、室内空気という）を吸入し、羽根車３１２ｂの外周側に吹き出すことができる。
【００２４】
熱交換器３１３は、本実施の形態において、遠心送風機３１２の外周を囲むように曲げられて形成されたクロスフィンチューブ型の熱交換器パネルであり（図４参照）、屋外等に設置された室外ユニット（図示せず）に冷媒配管（図示せず）を介して接続されている。熱交換器３１３は、冷房運転時には内部を流れる冷媒の蒸発器として、暖房運転時には内部を流れる冷媒の凝縮器として機能できるようになっている。これにより、熱交換器３１３は、ベルマウス３１５を通じて本体ケーシング３１１内に吸入され遠心送風機３１２の羽根車３１２ｂの外周側に吹き出された室内空気を、冷房運転時には冷却し、暖房運転時には加熱することができる。
【００２５】
ドレンパン３１４は、熱交換器３１３の下側に配置されており、熱交換器３１３において室内空気を冷却する際に室内空気中の水分が凝縮されて生じるドレン水を受け止める。
電装品ボックス３３は、室内ユニット３０に内蔵されており、ベルマウス３１５の縁部に設置されている。この電装品ボックス３３には、電装品として、図示しない制御基板などが収容されている。なお、この制御基板は、室内ユニット３０に配置される遠心送風機３１２、膨張弁、および温度センサ、ならびに室内ユニット３０の外部に配置される店舗コントローラ１０（後述）や図示しないＢＳユニット等に通信接続されており、店舗コントローラ１０から送信されてくる信号に基づいて遠心送風機３１２の回転数、運転モードの切換、温度設定、およびルーバ３２１（後述）の動作等を制御する。また、この制御基板は、店舗コントローラ１０とも第１通信線５３を介して通信接続されており、室内ユニット３０の各種状態データ（例えば、運転モードや設定温度など）を店舗コントローラ１０に提供する。
【００２６】
Ｂ．化粧パネル
化粧パネル３２は、図２および図３に示されるように、略四角形状の板状体であり、主として、その略中央に室内空気を本体ケーシング３１１内に吸入するための吸入口３２４と、本体ケーシング３１１内から居室Ｒ１に向かって空調空気を吹き出す複数個（本実施形態では、４個）の吹出口３２２とを有している。吹出口３２２には、風向を調節するためのルーバ３２１が設けられている。吸入口３２４には、吸入グリル３２３と、吸入口３２４から吸入された室内空気中の比較的大きな塵埃を除去するためのプレフィルタ３２５とが設けられている。
【００２７】
Ｃ．室内ユニットの動作
ファンモータ３１２ａにより遠心送風機３１２を回転させると、室内空気が図１および図３の矢印Ｆ１に示されるように室内ユニット３０の吸込口３２４に吸い込まれる。吸い込まれた室内空気は、本体３１のベルマウス３１５を通じて遠心送風機３１２に到達した後、遠心送風機３１２の外周側に吹き出される（図３の矢印Ｆ１ａ参照）。遠心送風機３１２の外周側に吹き出された室内空気は、遠心送風機３１２の外周側に配置された熱交換器３１３によって熱交換された後、吹出口３２２から室内に吹き出される（図１および図３の矢印Ｆ２参照）。また、ルーバ３２１は、ルーバ駆動専用の小型モータ（図示せず）により上下方向に往復運動可能なように設計されている。
【００２８】
（２）照明装置
照明装置４０は、図５に示されるように、主に、ケーシング４１と、ケーシング４１に固定される蛍光灯４２と、同じくケーシング４１に固定される照度制御装置４４と、照度制御装置４４から蛍光灯の長手方向に沿ってケーシング４１の内側に突出する照度センサ４５とから構成されている。また、この照明装置４０には、２本の蛍光灯４２の間に、後述する温度センサ２０が配置されている。
【００２９】
照度制御装置４４は、照度センサ４５により検出される照度が一定になるように、蛍光灯４２に対して電力を供給する。
（３）温度センサ
温度センサ２０は、図５に示されるように、照明装置４０の２本の蛍光灯４２の間に配置されており、第３通信線５１を介して店舗コントローラ１０に通信接続されている。そして、この温度センサ２０は、蛍光灯近傍の温度を検知している。
【００３０】
（４）店舗コントローラ
店舗コントローラ１０は、居室Ｒ１の側壁に配置されている。この店舗コントローラ１０は、図６に示されるように、主に、中央処理部１１、ＲＡＭ（Random Access Memory）１２、ＲＯＭ（Read Only Memory）１３、Ｉ／Ｏ制御部１４、温度センサ用インターフェイス１５、照明装置用インターフェイス１６、および空気調和装置用インターフェイス１７から構成されている。ここで、中央処理部１１、ＲＡＭ１２、ＲＯＭ１３、およびＩ／Ｏ制御部１４は、例えば、マイクロコンピュータであって、相互に第１バス線１８によって接続されており、１つの集積回路を構成している。また、温度センサ用インターフェイス１５、照明装置用インターフェイス１６、および空気調和装置用インターフェイス１７は、例えば、プリント回路基板等であって、第２バス線１９ａ，１９ｂ，１９ｃを介してＩ／Ｏ制御部１４に接続されている。
【００３１】
中央処理部１１は、主に、制御部１１１および演算部１１２を有する。制御部１１１は、図７に示されるように、ＲＯＭ１３に記憶されている制御プログラムを読み込み（Ｆｄ６参照）、読み込んだ制御プログラムに従って演算部１１２、ＲＡＭ１２、ＲＯＭ１３、およびＩ／Ｏ制御部１４に動作を指示する（Ｆｃ１〜Ｆｃ４参照）。
演算部１１２は、図７に示されるように、制御部１１１の命令に従って制御部１１１、ＲＡＭ１２、およびＲＯＭ１３から必要なデータを取得して（Ｆｄ１、Ｆｄ４、およびＦｄ７参照）演算処理（例えば、算術演算処理や論理演算処理等）を行う。また、この演算部１１２は、制御部１１１の命令に従って、演算処理の処理結果データを制御部１１１に供給することができる（Ｆｄ２参照）。また、この演算部１１２は、制御部１１１の命令に従って、演算処理の処理結果データをＲＡＭ１２に書き込むことができる（Ｆｄ３参照）。
【００３２】
ＲＡＭ１２は、図７に示されるように、制御部１１１の指示に従って、各種データを制御部１１２に供給することができる（Ｆｄ５参照）。また、このＲＡＭ１２は、データをＩ／Ｏ制御部１４から取得して（Ｆｄ９参照）一時記憶したり、演算部１１２から送信されるデータ（Ｆｄ３参照）を一時記憶したりする。また、このＲＡＭ１２は、制御部１１１の命令に応じて一時記憶しているデータをＩ／Ｏ制御部１４に送信する（Ｆｄ８参照）。
【００３３】
ＲＯＭ１３は、制御プログラムや各種データを格納しており、図７に示されるように、制御部１１１の指示に従って、それらを制御部１１１に供給する（Ｆｄ６参照）。また、このＲＯＭ１３は、制御部１１１の指示に従って、各種データを演算部１１２に供給することができる（Ｆｄ７参照）。なお、この制御プログラムにはソフトウェアタイマーが含まれているため、店舗コントローラ１０は時刻を計測することが可能となっている。
【００３４】
Ｉ／Ｏ制御部１４は、温度センサ２０、照明装置４０、あるいは空気調和装置の室内ユニット３０から、温度センサ用インターフェイス１５、照明装置用インターフェイス１６、あるいは空気調和装置用インターフェイス１７を介して送信されてくる各種データをＲＡＭ１２へ入力したり（Ｆｄ９参照）、ＲＡＭ１２に記憶されている各種データ等を照明装置用インターフェイス１６および空気調和装置用インターフェイス１７へ出力したりする。
【００３５】
温度センサ用インターフェイス１５、照明装置用インターフェイス１６、および空気調和装置用インターフェイス１７は、温度センサ２０、照明装置４０、および空気調和装置の室内ユニット３０に通信線５１，５２，５３を介して接続されており、温度センサ２０、照明装置４０、および空気調和装置の室内ユニット３０から送信されてくる各種データを受信すると同時にそれらのデータを中央処理部１１が処理可能な形式に変換する。
【００３６】
〔照明装置の省エネルギー制御〕
ここでは、図８に示されるフローチャートに従って、店舗コントローラ１０による照明装置の省エネルギー制御について説明する。ここで、図８は、店舗コントローラ１０による照明装置の省エネルギー制御の流れを表すフローチャートである。
図８において、ステップＳ１では、制御部１１１が、ソフトウェアタイマーから時刻データを取得し、ＲＡＭ１２に書き込む。ステップＳ２では、演算部１１２が、制御部１１１の指示に従って、ＲＡＭ１２から時刻データを取得し、その時刻データが照明近傍温度の確認時刻であるかを判定する。なお、ここで、照明近傍温度の確認時刻は、例えば、１５分間隔や３０分間隔などのように規定される。ステップＳ２の演算部１１２の判定の結果、時刻データが照明近傍温度の確認時刻であると判定された場合、処理はステップＳ３に移る。ステップＳ２の演算部１１２の判定の結果、時刻データが照明近傍温度の確認時刻でないと判定された場合、処理はステップＳ１に戻る。ステップＳ３では、Ｉ／Ｏ制御部１４が、制御部１１１の指示に従って、温度センサ２０から照明近傍温度情報Ｔａを受信し、ＲＡＭ１２に書き込む。ステップＳ４では、演算部１１２が、制御部１１１の指示に従って、ＲＡＭ１２から照明近傍温度情報Ｔａを取得し、その照明近傍温度情報Ｔａが最低照明近傍温度Ｔｍｉｎ以上であり且つ最高照明近傍温度Ｔｍａｘ以下であるかを判定する。ステップＳ４の演算部１１２の判定の結果、照明近傍温度情報Ｔａが最低照明近傍温度Ｔｍｉｎ以上であり且つ最高照明近傍温度Ｔｍａｘ以下であると判定された場合、処理はステップＳ１に戻る。ステップＳ４の演算部１１２の判定の結果、照明近傍温度情報Ｔａが最低照明近傍温度Ｔｍｉｎ未満であるか最高照明近傍温度Ｔｍａｘよりも大きいと判定された場合、処理はステップＳ５に移る。ステップＳ５では、Ｉ／Ｏ制御部１４が、制御部１１１の指示に従って、ルーバ３２１をスイング制御させるための制御信号を空気調和装置の室内ユニット３０に送信する。ステップＳ６では、制御部１１１が、ソフトウェアタイマーから時刻データを取得し、ＲＡＭ１２に書き込む。ステップＳ７では、演算部１１２が、制御部１１１の指示に従って、ＲＡＭ１２から時刻データを取得し、その時刻データがステップＳ５における制御信号の送信時刻から１分経過した時刻であるかを判定する。ステップＳ７の演算部１１２の判定の結果、時刻データがステップＳ５における制御信号の送信時刻から１分経過した時刻であると判定された場合、処理はステップＳ８に移る。ステップＳ７の演算部１１２の判定の結果、時刻データがステップＳ５における制御信号の送信時刻から１分経過した時刻でないと判定された場合、処理はステップＳ６に戻る。ステップＳ８では、Ｉ／Ｏ制御部１４が、制御部１１１の指示に従って、温度センサ２０から照明近傍温度情報Ｔｂを受信し、ＲＡＭ１２に書き込む。ステップＳ９では、演算部１１２が、制御部１１１の指示に従って、ＲＡＭ１２から照明近傍温度情報Ｔｂを取得し、その照明近傍温度情報Ｔｂが最低照明近傍温度Ｔｍｉｎ以上であり且つ最高照明近傍温度Ｔｍａｘ以下であるかを判定する。ステップＳ９の演算部１１２の判定の結果、照明近傍温度情報Ｔｂが最低照明近傍温度Ｔｍｉｎ以上であり且つ最高照明近傍温度Ｔｍａｘ以下であると判定された場合、処理はステップＳ８に戻る。ステップＳ９の演算部１１２の判定の結果、照明近傍温度情報Ｔａが最低照明近傍温度Ｔｍｉｎ未満であるか最高照明近傍温度Ｔｍａｘよりも大きいと判定された場合、処理はステップＳ１０に移る。ステップＳ１０では、Ｉ／Ｏ制御部１４が、制御部１１１の指示に従って、ルーバ３２１のスイング制御を停止させるための制御信号を空気調和装置の室内ユニット３０に送信する。なお、ステップＳ１０の処理の終了後、処理はステップＳ１に戻る。
【００３７】
〔照明機器用省エネルギー制御システムの特徴〕
（１）
本実施の形態に係る照明機器用省エネルギー制御システム１では、蛍光灯４２の照度が照度制御装置によって一定に維持される。また、この照明機器用省エネルギー制御システム１では、Ｉ／Ｏ制御部１４が、制御部１１１の指示に従って、照明近傍温度情報を受信する。そして、制御部１１１が、照明近傍温度情報が一定範囲内に収まるように室内ユニット３０を制御する。このため、この照明機器用省エネルギー制御システム１では、照明装置４０近傍の温度を適正に維持することができる。したがって、この照明機器用省エネルギー制御システム１では、照明機器の消費エネルギーを最小限にすることが可能となる。この結果、この照明機器用省エネルギー制御システム１では、照明機器の省エネルギー化を実現することが可能となる。
【００３８】
（２）
本実施の形態に係る照明機器用省エネルギー制御システム１では、制御部１１１が、ルーバ３２１をスイング制御することにより、照明近傍温度情報が一定範囲内に収まるようにする。このため、この照明機器用省エネルギー制御システム１では、蛍光灯４２を冷やしすぎたり暖めすぎたりすることを防止することができる。
【００３９】
〔変形例〕
（Ａ）
先の実施の形態に係る照明機器用省エネルギー制御システム１では、制御部１１１が、室内ユニット３０のルーバ３２１をスイング制御することにより、照明近傍温度情報が一定範囲内に収まるようにしていたが、室内ユニット３０をプロペラファンに置き換え、制御部１１１がプロペラファンの発停を制御するようにしてもよい。このようにすれば、蛍光灯４２近傍の空気が攪拌されることにより蛍光灯４２近傍の温度を適正値に近づけることが可能となる。
【００４０】
（Ｂ）
先の実施形態に係る照明機器用省エネルギー制御システム１では、制御部１１１が、室内ユニット３０のルーバ３２１をスイング制御して蛍光灯４２に直接送風することにより照明近傍温度情報が一定範囲内に収まるようにしていたが、室内ユニット３０を除去する代わりに壁Ｗ１の天井裏部分に換気扇を設け、制御部１１１が換気扇の発停を制御するようにしてもよい。このようにすれば、天井裏の蛍光灯４２近傍の空気が攪拌されることにより間接的に蛍光灯４２近傍の温度を適正値に近づけることが可能となる。
【００４１】
（Ｃ）
先の実施形態に係る照明機器用省エネルギー制御システム１では、２本の蛍光灯４２の間に温度センサ２０が配置されていたが、この温度センサ２０を除去して、代わりに室内ユニット３０の吸込温度センサを利用するようにしてもよい。室内ユニット３０の吸込温度センサは天井板近傍に位置し、その測定温度は、天井板近傍に設けられる蛍光灯４２の温度と強い相関関係があると考えられている。したがって、この関係をあらかじめ規定しておけば、吸込温度センサの計測温度値から蛍光灯４２近傍の温度を推定することができる。このようにすれば、照明機器用省エネルギー制御システムの構成をより簡素なものとすることができる。
【００４２】
（Ｄ）
先の実施形態に係る照明機器用省エネルギー制御システム１では、２本の蛍光灯４２の間に温度センサ２０が配置されていたが、この温度センサ２０を除去して、代わりに室外ユニットの外気温度センサを利用するようにしてもよい。一般に、照明装置４０が設置されている天井板の裏側の空間、つまり天井裏の温度は外気温度と非常に強い相関関係があると考えられている。したがって、外気温度は、蛍光灯４２の温度と強い相関関係があるはずである。このため、この関係をあらかじめ規定しておけば、外気温度センサの計測温度値から蛍光灯４２近傍の温度を推定することができる。このようにすれば、照明機器用省エネルギー制御システムの構成をより簡素なものとすることができる。また、外気温度は、外気温度センサからの取得に限られず、気象庁等がインターネット等を介して配信している気温データを利用してもよい。
【００４３】
（Ｅ）
先の実施形態に係る照明機器用省エネルギー制御システム１では、特に言及しなかったが、ルーバ３２１のスイング制御時に、空気調和装置を送風運転モードに移行してもよい。このようにすれば、蛍光灯４２の冷やし過ぎや暖め過ぎをより確実に防止することができる。
【００４４】
（Ｆ）
先の実施形態に係る照明機器用省エネルギー制御システム１では、ルーバ３２１をスイング制御することにより照明近傍温度情報が一定範囲内に収まるようにしていたが、このような制御に代えて、空気調和装置を送風運転モードに移行しルーバ３２１を一定時間、天井板に対して略水平方向になるように固定することにより照明近傍温度情報が一定範囲内に収まるようにしてもよい。
【００４５】
（Ｇ）
先の実施形態に係る照明機器用省エネルギー制御システム１では、特に言及しなかったが、ルーバ３２１のスイング制御時に、制御部１１１が膨張弁の開度を調節することにより熱交換器３１３を適切な温度に調節してもよい。
【産業上の利用可能性】
【００４６】
本発明に係る換気システムは、照明機器の省エネルギー化を実現することが可能となるという特徴を有し、店舗などに設けられると非常に有用である。
【図面の簡単な説明】
【００４７】
【図１】本発明の実施の形態に係る照明機器用省エネルギー制御システムのシステム構成図。
【図２】本発明の実施の形態に係る天井埋設型の室内機の外観斜視図。
【図３】本発明の実施の形態に係る天井埋設型の室内機の縦断面図。
【図４】本発明の実施の形態に係る天井埋設型の室内機の本体内部を示す下面図。
【図５】本発明の実施の形態に係る照明装置の斜視図。
【図６】本発明の実施の形態に係る店舗コントローラの構成図。
【図７】本発明の実施の形態に係る店舗コントローラにおける制御信号およびデータの流れを示す図。
【図８】本発明の実施の形態に係る照明装置の省エネルギー制御の流れを表すフローチャート。
【符号の説明】
【００４８】
１      照明機器用省エネルギー制御システム
１４      Ｉ／Ｏ制御部（照明機器近傍温度情報取得手段）
４０      照明装置（照明機器）
１１１      制御部（送風装置制御手段）
３１２      遠心送風機（送風装置）
３１３      熱交換器
３２１      ルーバ（風向調節手段）
【図１】
2006252904.tif 000003
【図２】
2006252904.tif 000004
【図３】
2006252904.tif 000005
【図４】
2006252904.tif 000006
【図５】
2006252904.tif 000007
【図６】
2006252904.tif 000008
【図７】
2006252904.tif 000009
【図８】
2006252904.tif 000010